(57)【要約】【課題】携帯し易く、外部から電力を受けられない場所においても容易に携帯機器を充電する。【解決手段】ＡＣ電源９００から電力供給される本体装置１５０と、本体装置１５０と着脱可能で、本体装置１５０から供給された電力により携帯機器３００を充電する携帯充電装置２００とを備え非接触型充電装置１００において、本体装置１５０は、携帯充電装置２００に電力を送電する携帯充電装置用コイル１１０と、携帯充電装置２００を充電する充電回路１０５とを備え、携帯充電装置２００は、充電電力を蓄積可能な二次電池２０４と、本体装置１５０から電力を受電、または携帯機器３００に電力を送電する充放電コイル２１０と、受電した電力を二次電池２０４に蓄積するとともに、蓄積された充電電力を放電して携帯機器３００を充電する整流・充放電回路２０５とを備える。【選択図】        図１
2009033807.tif 000002
【特許請求の範囲】
【請求項１】
充電装置において、
外部機器または電源から電力供給される本体装置と、
前記本体装置と着脱可能であって、前記本体装置から供給された電力により携帯機器を非接触で充電する携帯充電装置と、を備え、
前記本体装置は、
前記携帯充電装置に電力を送電する第１送電手段と、
前記第１送電手段に電力を供給することにより前記携帯充電装置を充電する充電手段と、を備え、
前記携帯充電装置は、
充電電力を蓄積可能な蓄電手段と、
前記本体装置から電力を受電し、または前記携帯機器に電力を送電する送受電手段と、
前記送受電手段から受電した電力を前記充電電力として前記蓄電手段に蓄積するとともに、前記蓄電手段に蓄積された前記充電電力を放電して前記送受電手段に供給することにより前記携帯機器を充電する充放電手段と、
を備えることを特徴とする充電装置。
【請求項２】
前記携帯充電装置は、
前記蓄電手段を充電するモードである充電モードと、前記蓄電手段に蓄積された前記充電電力を放電するモードである放電モードの切り替え設定を受け付ける操作入力部をさらに備え、
前記充放電手段は、前記充電モードの設定を受け付けた場合、前記送受電手段から受電した電力を前記充電電力として前記蓄電手段に蓄積し、前記放電モードの設定を受け付けた場合、前記蓄電手段に蓄積された前記充電電力を放電して前記送受電手段に供給することにより前記携帯機器を充電することを特徴とする請求項１に記載の充電装置。
【請求項３】
前記本体装置は、
前記携帯充電装置の存在を検知する第１検知手段をさらに備え、
前記充電手段は、前記携帯充電装置の存在が検知された場合に、前記第１送電手段に電力を供給することにより前記携帯充電装置を充電することを特徴とする請求項１または２に記載の充電装置。
【請求項４】
前記本体装置は、
前記携帯機器に非接触で電力を送電する第２送電手段をさらに備え、
前記第１検知手段は、さらに、前記携帯機器の存在を検知し、
前記充電手段は、さらに、前記携帯機器が検知された場合に、前記第２送電手段に電力を供給することにより前記携帯機器を充電することを特徴とする請求項３に記載の充電装置。
【請求項５】
前記携帯充電装置は、
前記携帯機器の存在を検知する第２検知手段をさらに備え、
前記充放電手段は、前記放電モードの設定を受け付けた場合であって、前記携帯機器の存在が検知された場合に、前記送受電手段に電力を供給することにより前記携帯機器を充電することを特徴とする請求項４に記載の充電装置。
【請求項６】
充電装置において、
外部機器または電源から電力供給される本体装置と、
前記本体装置と着脱可能であって、前記本体装置から供給された電力により携帯機器を非接触で充電する携帯充電装置と、を備え、
前記本体装置は、
前記携帯充電装置と接続可能な第１接続手段と、
前記携帯充電装置と接続された状態の前記第１接続手段に電力を供給することにより前記携帯充電装置を充電する充電手段と、を備え、
前記携帯充電装置は、
充電電力を蓄積可能な蓄電手段と、
前記第１接続手段に接続可能な第２接続手段と、
前記携帯機器に電力を送電する第１送電手段と、
前記第１接続手段と接続された状態の前記第２接続手段を介して、前記本体装置から供給された電力を前記充電電力として前記蓄電手段に蓄積するとともに、前記蓄電手段に蓄積された前記充電電力を放電して前記第１送電手段に供給することにより前記携帯機器を充電する充放電手段と、
を備えることを特徴とする充電装置。
【請求項７】
前記本体装置は、
前記第１接続手段と前記第２接続手段が接続されていることを検知する第１検知手段をさらに備え、
前記充電手段は、前記第１接続手段と前記第２接続手段とが接続されていると検知された場合に、前記第１接続手段に電力を供給することにより前記携帯充電装置を充電することを特徴とする請求項６に記載の充電装置。
【請求項８】
前記携帯充電装置は、
前記蓄電手段を充電するモードである充電モードと、前記蓄電手段に蓄積された前記充電電力を放電するモードである放電モードの切り替え設定を受け付ける操作入力部をさらに備え、
前記充放電手段は、前記充電モードの設定を受け付けた場合、前記第２接続手段を介して供給された電力を前記充電電力として前記蓄電手段に蓄積し、前記放電モードの設定を受け付けた場合、前記蓄電手段に蓄積された前記充電電力を放電して前記第１送電手段に供給することにより前記携帯機器を充電することを特徴とする請求項６または７に記載の充電装置。
【請求項９】
前記本体装置は、
前記携帯機器に非接触で電力を送電する第２送電手段をさらに備え、
前記第１検知手段は、さらに、前記携帯機器の存在を検知し、
前記充電手段は、さらに、前記携帯機器が検知された場合に、前記第２送電手段に電力を供給することにより前記携帯機器を充電することを特徴とする請求項８に記載の充電装置。
【請求項１０】
前記携帯充電装置は、
前記携帯機器への充電を行うか否かを判定する判定手段をさらに備え、
前記充放電手段は、前記放電モードに設定されている場合でも、前記携帯機器への充電を行わないと判定された場合に、前記第１送電手段に前記充電電力を供給しないことを特徴とする請求項６〜９のいずれか一つに記載の充電装置。
【請求項１１】
前記第２接続手段は、短絡可能な端子を備え、
前記判定手段は、前記端子が短絡状態である場合に、前記携帯機器への充電を行わないと判定することを特徴とする請求項１０に記載の充電装置。
【請求項１２】
前記携帯充電装置は、
前記携帯機器の存在を検知する第２検知手段をさらに備え、
前記判定手段は、前記携帯機器の存在が検知されなかった場合に、前記携帯機器への充電を行わないと判定することを特徴とする請求項１０に記載の充電装置。
【請求項１３】
外部機器または電源から電力供給される本体装置と着脱可能であって、携帯機器を非接触で充電する携帯充電装置において、
充電電力を蓄積可能な蓄電手段と、
前記本体装置から電力を受電し、または前記携帯機器に電力を送電する送受電手段と、
前記送受電手段から受電した電力を前記充電電力として前記蓄電手段に蓄積するとともに、前記蓄電手段に蓄積された前記充電電力を放電して前記送受電手段に供給することにより前記携帯機器を充電する充放電手段と、
を備えることを特徴とする携帯充電装置。
【発明の詳細な説明】
【技術分野】
【０００１】
本発明は、携帯機器の充電を行う携帯可能な携帯充電装置と、該携帯充電装置と携帯機器の充電を行う充電装置に関するものである。
【背景技術】
【０００２】
現在、携帯機器には電源として二次電池等の充電式電池が搭載されていることが多い。また、その二次電池等の充電方法は、電磁誘導などの非接触による方法が一般的となってきている。このような非接触による充電方法は、接触充電と比較すると、接続部（接続端子）に埃がたまることもなく、接続端子間が短絡することもない。
【０００３】
例えば、腕時計１０の裏ブタ１１に充電器３３を近付けることで、腕時計１０内部に設けられた充電電池ユニット１３に充電器３３を近付け、腕時計１０と充電器３３を非接触で充電し、蓄電部１７を充電する技術が開示されている（特許文献１参照）。
【０００４】
このよう非接触による充電方法では、例えば、図１５に示すように、充電装置１０００側と携帯機器２０００側にそれぞれコイルを設け、そのコイル間の誘導磁界により電力が伝送され、携帯機器２０００の二次電池が充電される仕組みとなっている。そして、この充電装置１０００は、ＡＣ電源９００より得られた交流電流を整流回路にて直流電流に整流し、充電回路を介して、コイルを励磁するのが一般的である。
【０００５】
【特許文献１】特開２００５−１７６４９４号公報
【発明の開示】
【発明が解決しようとする課題】
【０００６】
しかしながら、従来の充電装置は、携帯機器に対し大型であるため携帯が不便であり、またＡＣ電源がなければ充電できなかった。従って、外出先などで携帯機器の充電が切れてしまった場合は、大型の充電装置を所持していること、およびＡＣ電源などのコンセントがあることの条件を満たした場合のみ携帯機器の充電が可能であった。
【０００７】
しかし、外出先などに都合よくコンセントがあるとも限らないし、仮に外出先でコンセントがあった場合でも、自由に使用できるコンセントは殆ど設けられていない。そのため、従来の充電装置では、外出先での携帯機器の充電が困難であり、充電が切れると携帯機器が使用できなくなるという問題があった。また、充電器を一次電池でも使用可能としたものもあったが、その分、充電器も大型になるため、携帯には不便であり、使い勝手が悪かった。
【０００８】
本発明は、上記に鑑みてなされたものであって、携帯し易く、かつ外部から電力を受けられない場所においても容易に携帯機器を充電できる携帯充電装置と、該携帯充電装置を含む充電装置を提供すること目的とする。
【課題を解決するための手段】
【０００９】
上述した課題を解決し、目的を達成するために、請求項１にかかる発明は、充電装置において、外部機器または電源から電力供給される本体装置と、前記本体装置と着脱可能であって、前記本体装置から供給された電力により携帯機器を非接触で充電する携帯充電装置と、を備え、前記本体装置は、前記携帯充電装置に電力を送電する第１送電手段と、前記第１送電手段に電力を供給することにより前記携帯充電装置を充電する充電手段と、を備え、前記携帯充電装置は、充電電力を蓄積可能な蓄電手段と、前記本体装置から電力を受電し、または前記携帯機器に電力を送電する送受電手段と、前記送受電手段から受電した電力を前記充電電力として前記蓄電手段に蓄積するとともに、前記蓄電手段に蓄積された前記充電電力を放電して前記送受電手段に供給することにより前記携帯機器を充電する充放電手段と、を備えることを特徴とする。
【００１０】
また、請求項２にかかる発明は、請求項１に記載の充電装置において、前記携帯充電装置は、前記蓄電手段を充電するモードである充電モードと、前記蓄電手段に蓄積された前記充電電力を放電するモードである放電モードの切り替え設定を受け付ける操作入力部をさらに備え、前記充放電手段は、前記充電モードの設定を受け付けた場合、前記送受電手段から受電した電力を前記充電電力として前記蓄電手段に蓄積し、前記放電モードの設定を受け付けた場合、前記蓄電手段に蓄積された前記充電電力を放電して前記送受電手段に供給することにより前記携帯機器を充電することを特徴とする。
【００１１】
また、請求項３にかかる発明は、請求項１または２に記載の充電装置において、前記本体装置は、前記携帯充電装置の存在を検知する第１検知手段をさらに備え、前記充電手段は、前記携帯充電装置の存在が検知された場合に、前記第１送電手段に電力を供給することにより前記携帯充電装置を充電することを特徴とする。
【００１２】
また、請求項４にかかる発明は、請求項３に記載の充電装置において、前記本体装置は、前記携帯機器に非接触で電力を送電する第２送電手段をさらに備え、前記第１検知手段は、さらに、前記携帯機器の存在を検知し、前記充電手段は、さらに、前記携帯機器が検知された場合に、前記第２送電手段に電力を供給することにより前記携帯機器を充電することを特徴とする。
【００１３】
また、請求項５にかかる発明は、請求項４に記載の充電装置において、前記携帯充電装置は、前記携帯機器の存在を検知する第２検知手段をさらに備え、前記充放電手段は、前記放電モードの設定を受け付けた場合であって、前記携帯機器の存在が検知された場合に、前記送受電手段に電力を供給することにより前記携帯機器を充電することを特徴とする。
【００１４】
また、請求項６にかかる発明は、充電装置において、外部機器または電源から電力供給される本体装置と、前記本体装置と着脱可能であって、前記本体装置から供給された電力により携帯機器を非接触で充電する携帯充電装置と、を備え、前記本体装置は、前記携帯充電装置と接続可能な第１接続手段と、前記携帯充電装置と接続された状態の前記第１接続手段に電力を供給することにより前記携帯充電装置を充電する充電手段と、を備え、前記携帯充電装置は、充電電力を蓄積可能な蓄電手段と、前記第１接続手段に接続可能な第２接続手段と、前記携帯機器に電力を送電する第１送電手段と、前記第１接続手段と接続された状態の前記第２接続手段を介して、前記本体装置から供給された電力を前記充電電力として前記蓄電手段に蓄積するとともに、前記蓄電手段に蓄積された前記充電電力を放電して前記第１送電手段に供給することにより前記携帯機器を充電する充放電手段と、を備えることを特徴とする。
【００１５】
また、請求項７にかかる発明は、請求項６に記載の充電装置において、前記本体装置は、前記第１接続手段と前記第２接続手段が接続されていることを検知する第１検知手段をさらに備え、前記充電手段は、前記第１接続手段と前記第２接続手段とが接続されていると検知された場合に、前記第１接続手段に電力を供給することにより前記携帯充電装置を充電することを特徴とする。
【００１６】
また、請求項８にかかる発明は、請求項６または７に記載の充電装置において、前記携帯充電装置は、前記蓄電手段を充電するモードである充電モードと、前記蓄電手段に蓄積された前記充電電力を放電するモードである放電モードの切り替え設定を受け付ける操作入力部をさらに備え、前記充放電手段は、前記充電モードの設定を受け付けた場合、前記第２接続手段を介して供給された電力を前記充電電力として前記蓄電手段に蓄積し、前記放電モードの設定を受け付けた場合、前記蓄電手段に蓄積された前記充電電力を放電して前記第１送電手段に供給することにより前記携帯機器を充電することを特徴とする。
【００１７】
また、請求項９にかかる発明は、請求項８に記載の充電装置において、前記本体装置は、前記携帯機器に非接触で電力を送電する第２送電手段をさらに備え、前記第１検知手段は、さらに、前記携帯機器の存在を検知し、前記充電手段は、さらに、前記携帯機器が検知された場合に、前記第２送電手段に電力を供給することにより前記携帯機器を充電することを特徴とする。
【００１８】
また、請求項１０にかかる発明は、請求項６〜９のいずれか一つに記載の充電装置において、前記携帯充電装置は、前記携帯機器への充電を行うか否かを判定する判定手段をさらに備え、前記充放電手段は、前記放電モードに設定されている場合でも、前記携帯機器への充電を行わないと判定された場合に、前記第１送電手段に前記充電電力を供給しないことを特徴とする。
【００１９】
また、請求項１１にかかる発明は、請求項１０に記載の充電装置において、前記第２接続手段は、短絡可能な端子を備え、前記判定手段は、前記端子が短絡状態である場合に、前記携帯機器への充電を行わないと判定することを特徴とする。
【００２０】
また、請求項１２にかかる発明は、請求項１０に記載の充電装置において、前記携帯充電装置は、前記携帯機器の存在を検知する第２検知手段をさらに備え、前記判定手段は、前記携帯機器の存在が検知されなかった場合に、前記携帯機器への充電を行わないと判定することを特徴とする。
【００２１】
また、請求項１３にかかる発明は、外部機器または電源から電力供給される本体装置と着脱可能であって、携帯機器を非接触で充電する携帯充電装置において、充電電力を蓄積可能な蓄電手段と、前記本体装置から電力を受電し、または前記携帯機器に電力を送電する送受電手段と、前記送受電手段から受電した電力を前記充電電力として前記蓄電手段に蓄積するとともに、前記蓄電手段に蓄積された前記充電電力を放電して前記送受電手段に供給することにより前記携帯機器を充電する充放電手段と、を備えることを特徴とする。
【発明の効果】
【００２２】
本発明によれば、本体装置から受電した電力を蓄積した携帯充電装置を充電装置の本体装置から着脱可能にして、蓄積した電力により携帯機器を充電することで、携帯充電装置は、携帯し易く、かつＡＣ電源等の外部から電力を受けられない場所においても容易に携帯機器を充電できる。
【００２３】
また、本発明によれば、携帯充電装置は、本体装置からの電力の受電と、携帯機器への電力の送電を、一つの送受信手段により非接触で行うことにより、接続部分に埃等が溜まることなく安全で小型化が可能となる。
【発明を実施するための最良の形態】
【００２４】
以下に添付図面を参照して、この発明にかかる携帯充電装置と、該携帯充電装置を含む充電装置の最良な実施の形態を詳細に説明する。
【００２５】
（実施の形態１）
図１は、実施の形態１にかかる携帯充電装置を含む非接触型充電装置および携帯機器の構成を示すブロック図である。図１に示すように、非接触型充電装置１００は、ＡＣ電源９００に接続されており、本体装置１５０と、携帯充電装置２００とを備えている。そして、携帯充電装置２００は、本体装置１５０から着脱可能となっている。
【００２６】
本体装置１５０は、ＡＣ電源９００により供給された電力により、携帯充電装置２００および携帯機器３００を非接触で充電する。また、携帯充電装置２００は、本体装置１５０から充電され、その充電により供給された電力によって、携帯機器３００に放電することで携帯機器３００を非接触で充電する。以下では、携帯充電装置２００が行う充放電動作において、携帯充電装置２００が携帯機器３００に電力を放出することを放電といい、携帯充電装置２００が非接触型充電装置１００の本体装置１５０から電力を受電して蓄積することを充電という。なお、本実施の形態では、本体装置１５０から携帯充電装置２００への充電を非接触で行っているので、携帯充電装置２００は、機械的に装着および取り外しが可能な構成であればよい。
【００２７】
まず、非接触型充電装置１００の詳細について説明する。非接触型充電装置１００の本体装置１５０は、検知部１０１と、整流回路１０２と、制御回路１０３と、判定回路１０４と、充電回路１０５と、携帯充電装置用コイル１１０と、携帯機器用コイル１１１とを主に備えている。
【００２８】
検知部１０１は、携帯充電装置２００が所定の充電位置に挿入（配置）された場合、その携帯充電装置２００の存在を検知するものである。また、検知部１０１は、携帯機器３００が所定の充電位置に配置された場合、その携帯機器３００の存在を検知する。
【００２９】
ここで、検知部１０１は、例えば、光センサ、圧力センサ、または接触センサ等を利用している。光センサを利用した場合は、所定の充電位置に照射した光の反射光により、携帯充電装置２００や携帯機器３００が充電位置に存在することを検知する。また、圧力センサを利用した場合は、検知した圧力値が予め設定した充電位置の圧力値の閾値を超えると、携帯充電装置２００や携帯機器３００が充電位置に存在することを検知する。また、接触センサを利用した場合は、物体に接触した際の出力変化を検知して、携帯充電装置２００や携帯機器３００が充電位置に存在することを検知する。上記の「所定の充電位置」については、後述する。
【００３０】
整流回路１０２は、例えばダイオード等であって、ＡＣ電源９００から供給された電力を交流電流から直流電流に整流するものであり、制御回路１０３や判定回路１０４、充電回路１０５に供給する。
【００３１】
判定回路１０４は、検知部１０１による携帯充電装置２００、携帯機器３００の検知結果に基づいて装置（機器）を充電するか否か判定するものである。具体的には、検知部１０１により携帯充電装置２００が検知された場合、携帯充電装置２００を充電する判定を行い、検知部１０１により携帯機器３００が検知された場合、携帯機器３００を充電する判定を行う。従って、携帯充電装置２００および携帯機器３００の両方が検知された場合は、両者を充電する判定を行い、携帯充電装置２００または携帯機器３００のいずれか一方が検知された場合、その検知された一方の装置（機器）を充電する判定を行う。
【００３２】
制御回路１０３は、判定回路１０４により、携帯充電装置２００を充電する判定がなされた場合、携帯充電装置用コイル１１０に電力を供給するように、充電回路１０５を制御する。また、制御回路１０３は、判定回路１０４により、携帯機器３００を充電する判定がなされた場合、携帯機器用コイル１１１に電力を供給するように、充電回路１０５を制御する。具体的には、各々の電力供給する旨の制御信号を充電回路１０５に送出すればよい。
【００３３】
充電回路１０５は、携帯充電装置２００を充電する場合、制御回路１０３からの制御信号に従って、整流回路１０２により整流された電力を携帯充電装置用コイル１１０に供給し、携帯充電装置用コイル１１０を励磁することで携帯充電装置２００を充電する。また、充電回路１０５は、携帯機器３００を充電する場合、制御回路１０３からの制御信号に従って、整流回路１０２により整流された電力を携帯機器用コイル１１１に供給し、携帯機器用コイル１１１を励磁することで携帯機器３００を充電する。
【００３４】
携帯充電装置用コイル１１０は、フェライトコアに巻き線を施したコイル等であり、充電回路１０５により励磁されて交流電磁界を発生し、携帯充電装置２００の充放電コイル２１０に交流電磁界（誘導起電力）を誘起することで、携帯充電装置２００に非接触で電力を送電する。また、携帯充電装置用コイル１１０は、充放電コイル２１０に発生する交流電磁界を検出し、当該交流電磁界に応じた誘導起電力を発生する。
【００３５】
携帯機器用コイル１１１は、同じくフェライトコアに巻き線を施したコイル等であり、充電回路１０５により励磁されて交流電磁界を発生し、携帯機器３００の充電コイル３１０に交流電磁界（誘導起電力）を誘起することで、携帯機器３００に非接触で電力を送電する。また、携帯機器用コイル１１１は、充電コイル３１０に発生する交流電磁界を検出し、当該交流電磁界に応じた誘導起電力を発生する。
【００３６】
また、非接触型充電装置１００の携帯充電装置２００は、ＰＯＷＥＲボタン２０１と、判定回路２０２と、制御回路２０３と、二次電池２０４と、整流・充放電回路２０５と、充放電コイル２１０とを主に備えている。
【００３７】
充放電コイル２１０は、フェライトコアに巻き線を施したコイル等であり、携帯充電装置用コイル１１０に発生した交流電磁界を検出し、当該交流電磁界に応じた誘導起電力を発生することで、本体装置１５０から非接触で電力を受電する。また、充放電コイル２１０は、後述する整流・充放電回路２０５により励磁されて交流電磁界を発生し、携帯機器３００の充電コイル３１０に交流電磁界を誘起することで、携帯機器３００に非接触で電力を送電する。
【００３８】
図２は、携帯充電装置の充電時と放電時における充放電コイルの説明図である。充放電コイル２１０は、充電および放電の両方を行う兼用コイルであるため、図２に示すように、携帯充電装置２００の充電時（ケース１）では、本体装置１５０の携帯充電装置用コイル１１０から電力を受電して充電されるためのコイルの役割を果たし、携帯機器３００の充電時（ケース２）では、携帯機器３００の充電コイル３１０に電力を送電して放電して、携帯機器３００を充電するためのコイルの役割を果たす。
【００３９】
二次電池２０４は、本体装置１５０から受電した電力（充電電力）を蓄積するとともに、判定回路２０２や制御回路２０３、整流・充放電回路２０５に電力を供給する。
【００４０】
ＰＯＷＥＲボタン２０１は、二次電池２０４に受電した電力を蓄積して携帯充電装置２００を充電するモードである充電モードと、二次電池２０４に蓄積された充電電力を携帯機器３００に放電するモードである放電モードの切り替え設定を受け付けるものであり、利用者に押下されて操作される。また、ＰＯＷＥＲボタン２０１は、携帯充電装置２００の電源ＯＮ／ＯＦＦの操作を受け付けるものである。具体的には、このＰＯＷＥＲボタン２０１を最初に押下された場合は、電源がＯＮになり、充電モードに設定される。そして、次にＰＯＷＥＲボタン２０１が押下された場合は、充電モードから放電モードに切替えて設定され、さらに押下された場合は、電源がＯＦＦになる。
【００４１】
判定回路２０２は、ＰＯＷＥＲボタン２０１の押下に基づいて本体装置１５０からの充電を受けるか、携帯機器３００に放電するか（携帯機器３００を充電するか）を判定するものである。具体的には、判定回路２０２は、ＰＯＷＥＲボタン２０１の押下により電源がＯＮになると、本体装置１５０から充電される判定を行い、携帯充電装置２００を充電モードに設定する。また、判定回路２０２は、次のＰＯＷＥＲボタン２０１の押下により、携帯機器３００に放電する判定を行い、携帯充電装置２００を放電モードに設定する。なお、判定回路２０２は、充電モードおよび放電モードの設定を行うとのメモリ等の記憶媒体（不図示）に書き込む。そして、このメモリ等を制御回路２０３等が参照することで、現在のモードを把握する。
【００４２】
制御回路２０３は、判定回路２０２により、本体装置１５０から充電される判定がなされ、充電モードに設定された場合、充放電コイル２１０から受電した電力を整流し、充電電力として二次電池２０４に蓄積するように整流・充放電回路２０５を制御する。また、判定回路２０２により、携帯機器３００に放電する判定がなされ、放電モードに設定された場合、充放電コイル２１０に電力を供給するように整流・充放電回路２０５を制御する。具体的には、充電する旨または放電する旨の制御信号を整流・充放電回路２０５に送出すればよい。
【００４３】
整流・充放電回路２０５は、本体装置１５０から充電される場合、制御回路２０３からの制御信号に従って、充放電コイル２１０から受電した電力を整流し、充電電力として二次電池２０４に蓄積する。また、整流・充放電回路２０５は、携帯機器３００を充電する場合、制御回路２０３からの制御信号に従って、二次電池２０４に蓄積された電力を充放電コイル２１０に供給し、充放電コイル２１０を励磁することで携帯機器３００を充電する。
【００４４】
次に、携帯機器３００の詳細について説明する。携帯機器３００は、二次電池３０１と、充電回路３０２と、制御回路３０３と、整流回路３０４と、充電コイル３１０とにより主に構成されている。
【００４５】
充電コイル３１０は、フェライトコアに巻き線を施したコイル等であり、充放電コイル２１０に発生した交流電磁界を検出し、当該交流電磁界に応じた誘導起電力を発生することで、携帯充電装置２００から非接触で電力を受電する。また、充電コイル３１０は、携帯機器用コイル１１１に発生した交流電磁界を検出し、当該交流電磁界に応じた誘導起電力を発生することで、本体装置１５０から非接触で電力を受電する。
【００４６】
整流回路３０４は、例えばダイオード等であって、携帯充電装置２００や本体装置１５０から受電した電力を交流電流から直流電流に整流するものである。
【００４７】
二次電池３０１は、携帯充電装置２００や本体装置１５０から受電し、整流回路３０４により整流された電力（充電電力）を蓄積するとともに、充電回路３０２や制御回路３０３、整流回路３０４に電力を供給する。
【００４８】
制御回路３０３は、充電コイル３１０から受電し整流された電力を、充電電力として二次電池２０４に蓄積するように充電回路３０２を制御する。
【００４９】
充電回路３０２は、制御回路３０３からの制御信号に従って、充電コイル３１０から受電し整流された電力を充電電力として二次電池２０４に蓄積する。
【００５０】
次に、携帯充電装置２００、携帯機器３００が充電されるための所定の充電位置について説明する。まず、携帯充電装置２００が非接触型充電装置１００に装着される場合を説明する。図３−１は、携帯充電装置が非接触型充電装置に装着される場合の説明図である。図３−１に示すように、携帯充電装置２００は、非接触型充電装置１００の内部左下部に設けられた充電位置Ｂに矢印方向から挿入されることで、非接触型充電装置１００に装着される。そして、この充電位置Ｂが、携帯充電装置２００が本体装置１５０から充電されるための「所定の充電位置」となる。
【００５１】
図３−２は、非接触型充電装置の本体装置により携帯充電装置および携帯機器が充電されている場合の説明図である。図３−２に示すように、非接触型充電装置１００は、ＡＣ電源９００に接続されており、本体装置１５０は、携帯充電装置２００が上述した充電位置Ｂにある場合に携帯充電装置２００を充電する。また、非接触型充電装置１００の上面には、充電位置Ａが設けられている。この充電位置Ａに携帯機器３００が配置されると、非接触型充電装置１００の本体装置１５０は携帯機器３００を充電する。
【００５２】
図３−３は、携帯充電装置により携帯機器が充電されている場合の説明図である。図３−３に示すように、携帯充電装置２００の上面には、充電位置Ｃが設けられている。この充電位置Ｃに携帯機器３００が配置され、ＰＯＷＥＲボタン２０１により電源がＯＮにされると、携帯充電装置２００は携帯機器３００を充電する。
【００５３】
次に、このように構成された実施の形態１にかかる非接触型充電装置１００の本体装置１５０による充電処理について説明する。図４は、実施の形態１にかかる非接触型充電装置の本体装置による充電処理の流れを示すフローチャートである。
【００５４】
まず、非接触型充電装置１００の本体装置１５０は、ＡＣ電源９００と接続されることで、電源がＯＮにされ（ステップＳ１０）、ＡＣ電源９００から電力を供給され、整流回路１０２により整流される。
【００５５】
次に、判定回路１０４は、検知部１０１により所定の充電位置Ａ（図３−２参照）に配置された携帯機器３００が検知されたか否かを判断する（ステップＳ１１）。そして、判定回路１０４は、携帯機器３００が検知部１０１により検知されていない場合（ステップＳ１１：Ｎｏ）、携帯機器３００は充電しない判定を行う。
【００５６】
次に、判定回路１０４は、検知部１０１により所定の充電位置Ｂ（図３−２参照）に配置された携帯充電装置２００が検知されたか否かの判断をする（ステップＳ１２）。そして、判定回路１０４は、携帯充電装置２００が検知部１０１により検知されていない場合（ステップＳ１２：Ｎｏ）、携帯充電装置２００は充電しない判定を行う。この場合、携帯機器３００も携帯充電装置２００も充電しないことになるため、ステップＳ１１に戻って処理を繰り返す。
【００５７】
一方、ステップＳ１２において、判定回路１０４は、携帯充電装置２００が検知部１０１により検知された場合（ステップＳ１２：Ｙｅｓ）、携帯充電装置２００を充電する判定を行う。この場合、携帯機器３００を充電せず、携帯充電装置２００を充電することになる。
【００５８】
そして、充電回路１０５は、整流された電力を携帯充電装置用コイル１１０に供給し、携帯充電装置用コイル１１０を励磁する（ステップＳ１３）。そして、携帯充電装置用コイル１１０が携帯充電装置２００に非接触で電力を送電することで、携帯充電装置２００を充電する（ステップＳ１４）。
【００５９】
ステップＳ１１に戻って、判定回路１０４は、携帯機器３００が検知部１０１により検知された場合（ステップＳ１１：Ｙｅｓ）、携帯機器３００を充電する判定を行う。
【００６０】
次に、判定回路１０４は、検知部１０１により所定の充電位置Ｂに配置された携帯充電装置２００が検知されたか否かの判断をする（ステップＳ１５）。そして、判定回路１０４は、携帯充電装置２００が検知部１０１により検知された場合（ステップＳ１５：Ｙｅｓ）、携帯充電装置２００を充電する判定を行う。この場合、携帯機器３００および携帯充電装置２００を両方充電することになる。
【００６１】
そして、充電回路１０５は、整流された電力を携帯充電装置用コイル１１０と携帯機器用コイル１１１とに供給し、携帯充電装置用コイル１１０と携帯機器用コイル１１１を励磁する（ステップＳ１６）。そして、携帯充電装置用コイル１１０が携帯充電装置２００に非接触で電力を送電することで、携帯充電装置２００を充電し、携帯機器用コイル１１１が携帯機器３００に非接触で電力を送電することで、携帯機器３００を充電する（ステップＳ１７）。
【００６２】
一方、ステップＳ１５において、判定回路１０４は、携帯充電装置２００が検知部１０１により検知されていない場合（ステップＳ１５：Ｎｏ）、携帯充電装置２００を充電しない判定を行う。この場合、携帯機器３００を充電し、携帯充電装置２００を充電しないことになる。
【００６３】
そして、充電回路１０５は、整流された電力を携帯機器用コイル１１１に供給し、携帯機器用コイル１１１を励磁する（ステップＳ１８）。そして、携帯機器用コイル１１１が携帯機器３００に非接触で電力を送電することで、携帯機器３００を充電する（ステップＳ１９）。
【００６４】
このように、非接触型充電装置１００の本体装置１５０は、携帯機器３００と携帯充電装置２００の両者に充電を行うこともできるし、携帯機器３００と携帯充電装置２００のいずれかに充電を行うこともできる。
【００６５】
次に、上述のように非接触型充電装置１００から充電された携帯充電装置２００による充電処理について説明する。図５は、実施の形態１にかかる携帯充電装置による充電処理の流れを示すフローチャートである。この携帯充電装置２００による充電処理が行われるのは、本体装置１５０から離脱している場合である。例えば、本体装置１５０から切り離した携帯充電装置２００を所持（携帯）して外出し、その外出先においてＡＣ電源等の外部電源の供給を受けられない場合、この携帯充電装置２００によって携帯機器３００を充電する。
【００６６】
まず、判定回路２０２は、ＰＯＷＥＲボタン２０１が押下されたか否かの判断をする（ステップＳ３０）。ＰＯＷＥＲボタン２０１が押下されていない場合（ステップＳ３０：Ｎｏ）、ステップＳ３０に戻って処理を繰り返す。ＰＯＷＥＲボタン２０１が押下された場合（ステップＳ３０：Ｙｅｓ）、携帯充電装置２００の電源がＯＮとなり（ステップＳ３１）、判定回路２０２は、本体装置１５０から充電される判定を行い、携帯充電装置２００を充電モードに設定する（ステップＳ３２）。
【００６７】
そして、携帯充電装置２００は、本体装置１５０より充電される（ステップＳ３３）。すなわち、整流・充放電回路２０５は、充放電コイル２１０から受電した電力を整流し、充電電力として二次電池２０４に蓄積する。
【００６８】
次に、判定回路２０２は、再度、ＰＯＷＥＲボタン２０１が押下されたか否かの判断をする（ステップＳ３４）。ＰＯＷＥＲボタン２０１が押下されていない場合（ステップＳ３４：Ｎｏ）、充電モードの設定のままであり、ステップＳ３３に戻って処理を繰り返す。一方、ＰＯＷＥＲボタン２０１が押下された場合（ステップＳ３４：Ｙｅｓ）、判定回路２０２は、携帯機器３００に放電する判定を行い、携帯充電装置２００を放電モードに切替えて設定する（ステップＳ３５）。
【００６９】
そして、整流・充放電回路２０５は、二次電池２０４に蓄積された電力を充放電コイル２１０に供給し、充放電コイル２１０を励磁する（ステップＳ３６）。そして、充放電コイル２１０が携帯機器３００に非接触で電力を送電することで、携帯機器３００に放電する（ステップＳ３７）、すなわち携帯機器３００を充電する。
【００７０】
このように、本体装置１５０から充電された携帯充電装置２００は、ＡＣ電源に接続されていなくても携帯機器３００に放電することができる。
【００７１】
以上のように、実施の形態１では、非接触型充電装置１００において、本体装置１５０から携帯充電装置２００を充電する。そして、充電された携帯充電装置２００を本体装置１５０から着脱可能とし、携帯充電装置２００は、充電した電力により携帯機器３００を充電することで、携帯し易く、かつＡＣ電源等の外部電力が受けられない場所においても容易に携帯機器３００を充電できる。また、携帯充電装置２００は、本体装置１５０からの電力の受電と、携帯機器３００への電力の送電を、一つの充放電コイル２１０により非接触で行うことにより、接続部分に埃等が溜まることなく安全で、小型化が可能となる。
【００７２】
（実施の形態２）
実施の形態１の携帯充電装置は、放電モードに切替える設定がなされた場合、携帯機器に放電を行うものであったが、本実施の形態の携帯充電装置では、放電モードに切替える設定がなされた後、さらに携帯機器が所定の充電位置に配置されていた場合に放電を行うものである。
【００７３】
図６は、実施の形態２にかかる携帯充電装置を含む非接触型充電装置および携帯機器の構成を示すブロック図である。図６に示すように、非接触型充電装置１９０は、ＡＣ電源９００に接続されており、本体装置１５０と、携帯充電装置４００とを備えている。そして、携帯充電装置４００は、本体装置１５０から着脱可能となっている。
【００７４】
本体装置１５０は、ＡＣ電源９００により供給された電力により、携帯充電装置４００および携帯機器３００を非接触で充電する。また、携帯充電装置４００は、本体装置１５０から充電され、その充電により供給された電力によって、携帯機器３００に放電することで携帯機器３００を非接触で充電する。
【００７５】
ここで、非接触型充電装置１９０の本体装置１５０の構成および機能は、実施の形態１と同様であるため説明を省略する。また、携帯機器３００の構成および機能も、実施の形態１と同様であるため説明を省略する。
【００７６】
次に、非接触型充電装置１００の携帯充電装置４００は、ＰＯＷＥＲボタン２０１と、判定回路４０２と、制御回路２０３と、二次電池２０４と、整流・充放電回路２０５と、充放電コイル２１０と、検知部４０６とを主に備えている。
【００７７】
ここで、ＰＯＷＥＲボタン２０１と、制御回路２０３と、二次電池２０４と、整流・充放電回路２０５と、充放電コイル２１０の構成および機能は、実施の形態１と同様であるため説明を省略する。
【００７８】
検知部４０６は、携帯機器３００が所定の充電位置に配置された場合、その携帯機器３００の存在を検知する。つまり、図３−３を参照すると、携帯充電装置４００の充電位置Ｃに携帯機器３００が配置された場合、携帯機器３００を検知する。ここで、検知部４０６は、実施の形態１と同様、例えば、光センサ、圧力センサ、または接触センサ等を利用している。
【００７９】
判定回路４０２は、ＰＯＷＥＲボタン２０１の押下による充電モードおよび放電モードの設定と、携帯機器３００の検知結果に基づいて、本体装置１５０からの充電を受けるか、携帯機器３００を放電するか（充電するか）を判定するものである。
具体的には、判定回路４０２は、ＰＯＷＥＲボタン２０１の押下により電源がＯＮになると、本体装置１５０から充電される判定を行い、携帯充電装置４００を充電モードに設定する。また、判定回路４０２は、次のＰＯＷＥＲボタン２０１の押下により、携帯機器３００に放電する判定を行い、携帯充電装置２００を放電モードに設定する。また、判定回路４０２は、放電モードの設定後、検知部１０１により携帯機器３００が検知されたか否かの判定を行い、検知されていない場合は、充電モードに切替えて設定する。なお、判定回路４０２は、充電モードおよび放電モードの設定を行うとメモリ等の記憶媒体（不図示）に書き込む。そして、このメモリ等を制御回路２０３等が参照することで、現在のモードを把握する。
【００８０】
次に、このように構成された実施の形態２にかかる携帯充電装置４００による充電処理について説明する。なお、本体装置１５０による充電処理については、実施の形態１と同様であるため説明を省略する（図４参照）。
【００８１】
図７は、実施の形態２にかかる携帯充電装置による充電処理の流れを示すフローチャートである。この携帯充電装置４００による充電処理が行われるのは、実施の形態１と同様、本体装置１５０から離脱している場合である。例えば、本体装置１５０から切り離した携帯充電装置４００を所持（携帯）して外出し、その外出先においてＡＣ電源等の外部電源の供給を受けられない場合、この携帯充電装置４００によって携帯機器３００を充電する。
【００８２】
まず、判定回路２０２によるＰＯＷＥＲボタン２０１が押下されたか否かの判断から、携帯充電装置２００を放電モードに切替えて設定するまでの処理（ステップＳ５０〜５５）は、実施の形態１と同様であるため、説明を省略する（図５：ステップＳ３０〜３５参照）。
【００８３】
次に、判定回路４０２は、検知部４０６により所定の充電位置に配置された携帯機器３００が検知されたか否かを判断する（ステップＳ５６）。そして、携帯機器３００が検知部４０６により検知されていない場合（ステップＳ５６：Ｎｏ）、ステップＳ５２に戻って、判定回路４０２は、携帯充電装置４００を充電モードに切替えて設定する（ステップＳ５２）。
【００８４】
一方、携帯機器３００が検知部４０６により検知された場合（ステップＳ５６：Ｙｅｓ）、整流・充放電回路２０５は、二次電池２０４に蓄積された電力を充放電コイル２１０に供給し、充放電コイル２１０を励磁する（ステップＳ５７）。そして、充放電コイル２１０が携帯機器３００に非接触で電力を送電することで、携帯機器３００に放電する（ステップＳ５８）、すなわち携帯機器３００を充電する。
【００８５】
以上のように、実施の形態２では、非接触型充電装置１００において、本体装置１５０から携帯充電装置４００を充電する。そして、充電された携帯充電装置４００を本体装置１５０から着脱可能とし、携帯充電装置４００は、充電した電力により携帯機器３００を充電することで、携帯し易く、かつＡＣ電源等の外部電力が受けられない場所においても容易に携帯機器３００を充電できる。また、携帯充電装置４００は、本体装置１５０からの電力の受電と、携帯機器３００への電力の送電を、一つの充放電コイル２１０により非接触で行うことにより、接続部分に埃等が溜まることなく安全で、小型化が可能となる。また、携帯充電装置４００は、所定の充電位置に携帯機器３００が配置されていた場合に放電して携帯機器３００を充電することにより、放電（充電）対象がないまま充電が開始されることなく、確実に携帯機器３００に充電を行うことができるため、意図しない放電が開始されることなく、余分な電力を放出することがない。
【００８６】
（実施の形態３）
実施の形態１では、本体装置から携帯充電装置に充電を行う場合、本体装置の携帯充電装置用コイルから携帯充電装置の充放電コイルに非接触で電力を送電し、携帯充電装置から携帯機器に充電を行う場合、携帯充電装置の充放電コイルから携帯機器の充電コイルに非接触で電力を送電していた。本実施の形態では、本体装置から携帯充電装置に充電を行う場合、本体装置の接続部から携帯充電装置の接続部に電力を供給し、携帯充電装置から携帯機器に充電を行う場合、携帯充電装置の携帯機器用コイルから携帯機器の充電コイルに非接触電力を送電するものである。
【００８７】
図８は、実施の形態３にかかる携帯充電装置を含む非接触型充電装置および携帯機器の構成を示すブロック図である。図８に示すように、非接触型充電装置５００は、ＡＣ電源９００に接続されており、本体装置５５０と、携帯充電装置６００とを備えている。そして、携帯充電装置６００は、本体装置５５０から着脱可能となっている。
【００８８】
本体装置５５０は、ＡＣ電源９００により供給された電力により、携帯充電装置６００および携帯機器３００を充電する。また、携帯充電装置６００は、本体装置５５０から充電され、その充電により供給された電力によって、携帯機器３００に放電することで携帯機器３００を非接触で充電する。ここで、携帯機器３００の構成および機能は、実施の形態１と同様であるため説明を省略する。
【００８９】
まず、非接触型充電装置５００の詳細について説明する。非接触型充電装置５００の本体装置５５０は、検知部５０１と、整流回路１０２と、制御回路５０３と、判定回路５０４と、充電回路５０５と、接続部５１０と、携帯機器用コイル１１１とを主に備えている。
【００９０】
ここで、整流回路１０２と、携帯機器用コイル１１１の構成および機能は、実施の形態１と同様であるため説明を省略する。
【００９１】
検知部５０１は、接続部５１０と携帯充電装置６００の接続部６１０が接続されていることを検知するものである。また、検知部５０１は、携帯機器３００が所定の充電位置に配置された場合、その携帯機器３００の存在を検知する。ここで、検知部５０１は、実施の形態１と同様、例えば、光センサ、圧力センサ、または接触センサ等を利用している。例えば、検知部５０１は、接続部５１０と携帯充電装置６００の接続部６１０が接続されると信号を送信するようになっており、この信号を受信することにより、判定回路５０４は、上記接続を検知したかの判定を行うことができる。
【００９２】
判定回路５０４は、検知部５０１による接続部５１０と携帯充電装置６００の接続部６１０が接続されていることの検知結果に基づいて、携帯充電装置６００を充電するか否かを判定するものである。具体的には、検知部５０１により接続部５１０と携帯充電装置６００の接続部６１０が接続されていることが検知された場合、携帯充電装置６００を充電する判定を行う。また、判定回路５０４は、検知部５０１による携帯機器３００の検知結果に基づいて携帯機器３００を充電するか否かを判定するものである。具体的には、検知部５０１により携帯機器３００が検知された場合、携帯機器３００を充電する判定を行う。従って、上記接続が検知され、かつ携帯機器３００が検知された場合は、携帯充電装置６００と携帯機器３００の両者を充電する判定を行い、上記接続の検知、または携帯機器３００の検知のいずれかが検知された場合、携帯充電装置６００または携帯機器３００のいずれか一方の装置（機器）を充電する判定を行う。
【００９３】
制御回路５０３は、判定回路５０４により、携帯充電装置６００を充電する判定がなされた場合、携帯充電装置６００と接続された接続部５１０に電力を供給するように、充電回路５０５を制御する。また、制御回路５０３は、判定回路５０４により、携帯機器３００を充電する判定がなされた場合、携帯機器用コイル１１１に電力を供給するように、充電回路１０５を制御する。具体的には、各々の電力供給する旨の制御信号を充電回路１０５に送出すればよい。
【００９４】
充電回路５０５は、携帯充電装置６００を充電する場合、制御回路５０３からの制御信号に従って、整流回路１０２により整流された電力を接続部５１０に供給し、接続部５１０から携帯充電装置６００に電力を供給することで携帯充電装置６００を充電する。また、充電回路５０５は、携帯機器３００を充電する場合、制御回路５０３からの制御信号に従って、整流回路１０２により整流された電力を携帯機器用コイル１１１に供給し、携帯機器用コイル１１１を励磁することで携帯機器３００を充電する。
【００９５】
接続部５１０は、携帯充電装置６００と接続され、携帯充電装置６００に電力の供給を行うものであり、例えば、圧着端子や電気端子、または接触センサ等である。ここで、圧着端子とは、電線先端に取付ける接続端子の一つであり、電線と端子に物理的圧力をかけることにより固定させるものである。
【００９６】
また、非接触型充電装置５００の携帯充電装置６００は、ＰＯＷＥＲボタン２０１と、判定回路２０２と、制御回路６０３と、二次電池２０４と、整流・充放電回路６０５と、接続部６１０と、携帯機器用コイル６１１とを主に備えている。
【００９７】
ここで、ＰＯＷＥＲボタン２０１と、判定回路２０２と、二次電池２０４の構成および機能は、実施の形態１と同様であるため説明を省略する。
【００９８】
制御回路６０３は、判定回路２０２により、本体装置５５０から充電される判定がなされ、充電モードに設定された場合、接続部６１０を介して本体装置５５０から供給された電力を整流し、充電電力として二次電池２０４に蓄積するように整流・充放電回路６０５を制御する。また、判定回路２０２により、携帯機器３００に放電する判定がなされ、放電モードに設定された場合、携帯機器用コイル６１１に電力を供給するように整流・充放電回路６０５を制御する。具体的には、充電する旨または放電する旨の制御信号を整流・充放電回路６０５に送出すればよい。
【００９９】
整流・充放電回路６０５は、本体装置５５０から充電される場合、制御回路６０３からの制御信号に従って、接続部６１０を介して本体装置５５０から供給された電力を整流し、充電電力として二次電池２０４に蓄積する。また、整流・充放電回路６０５は、携帯機器３００を充電する場合、制御回路６０３からの制御信号に従って、二次電池２０４に蓄積された電力を携帯機器用コイル６１１に供給し、携帯機器用コイル６１１を励磁することで携帯機器３００を充電する。
【０１００】
接続部６１０は、本体装置５５０の接続部５１０と接続され、本体装置５５０から電力を供給されるものであり、例えば、圧着端子や電気端子、または接触センサ等である。接続部６１０が本体装置５５０の接続部５１０と接続し、かつ機械的に本体装置５５０に取付けることで、携帯充電装置６００が本体装置５５０に装着される。また、接続部６１０が本体装置５５０の接続部５１０と接続が解除され、かつ機械的に本体装置５５０から外すことで、携帯充電装置６００が本体装置５５０から取り外される。これにより、携帯充電装置６００は、本体装置５５０と着脱可能となる。
【０１０１】
携帯機器用コイル６１１は、フェライトコアに巻き線を施したコイル等であり、整流・充放電回路６０５により励磁されて交流電磁界を発生し、携帯機器３００の充電コイル３１０に交流電磁界を誘起することで、携帯機器３００に非接触で電力を送電する。
【０１０２】
次に、携帯充電装置６００、携帯機器３００が充電されるための所定の充電位置について説明する。まず、携帯充電装置６００が非接触型充電装置５００に装着される場合を説明する。図９−１は、携帯充電装置が非接触型充電装置に装着される場合の説明図である。図９−１に示すように、携帯充電装置６００は、非接触型充電装置５００の内部左下部に設けられた充電位置Ｂに矢印方向から挿入されることで、非接触型充電装置５００に装着される。そして、この充電位置Ｂが、携帯充電装置６００が本体装置５５０から充電されるための所定の充電位置となる。また、携帯充電装置６００は、接続部６１０が充電位置Ｂに設けられた接続部５１０に接続されることで、充電可能となる。また、携帯充電装置６００の上面には、携帯機器３００が配置される充電位置Ｃが設けられている。
【０１０３】
図９−２は、非接触型充電装置の本体装置により携帯充電装置および携帯機器が充電されている場合の説明図である。図９−２に示すように、非接触型充電装置５００は、ＡＣ電源９００に接続されており、本体装置５５０は、携帯充電装置６００が上述した充電位置Ｂにあって、接続部６１０が接続部５１０と接続されている場合に携帯充電装置６００を充電する。また、非接触型充電装置５００の上面には、充電位置Ａが設けられている。この充電位置Ａに携帯機器３００が配置されると、非接触型充電装置１００の本体装置５５０は携帯機器３００を充電する。
【０１０４】
また、図９−１を参照すると、携帯充電装置６００の上面には、充電位置Ｃが設けられている。この充電位置Ｃに携帯機器３００が配置され、ＰＯＷＥＲボタン２０１により電源がＯＮにされると、携帯充電装置６００は携帯機器３００を充電する。
【０１０５】
次に、このように構成された実施の形態３にかかる非接触型充電装置５００の本体装置５５０による充電処理について説明する。図１０は、実施の形態３にかかる非接触型充電装置の本体装置による充電処理の流れを示すフローチャートである。
【０１０６】
まず、非接触型充電装置５００の本体装置５５０は、ＡＣ電源９００と接続されることで、電源がＯＮにされ（ステップＳ７０）、ＡＣ電源９００から電力を供給され、整流回路１０２により整流される。
【０１０７】
次に、判定回路５０４は、検知部５０１により所定の充電位置Ａ（図９−２参照）に配置された携帯機器３００が検知されたか否かを判断する（ステップＳ７１）。そして、判定回路５０４は、携帯機器３００が検知部５０１により検知されていない場合（ステップＳ７１：Ｎｏ）、携帯機器３００は充電しない判定を行う。
【０１０８】
次に、判定回路５０４は、検知部５０１により接続部５１０が接続部６１０との接続が検知されたか否かの判断をする（ステップＳ７２）。そして、判定回路５０４は、接続部５１０が接続部６１０との接続が検知されていない場合（ステップＳ７２：Ｎｏ）、携帯充電装置６００は充電しない判定を行う。この場合、携帯機器３００も携帯充電装置６００も充電しないことになるため、ステップＳ７１に戻って処理を繰り返す。
【０１０９】
一方、ステップＳ７２において、判定回路５０４は、接続部５１０が接続部６１０との接続が検知された場合（ステップＳ７２：Ｙｅｓ）、携帯充電装置６００を充電する判定を行う。この場合、携帯機器３００を充電せず、携帯充電装置６００を充電することになる。
【０１１０】
そして、充電回路５０５は、整流された電力を接続部５１０に供給し、接続部５１０から携帯充電装置６００に電力を供給することで携帯充電装置６００を充電する（ステップＳ７３）。
【０１１１】
ステップＳ７１に戻って、判定回路５０４は、携帯機器３００が検知部５０１により検知された場合（ステップＳ７１：Ｙｅｓ）、携帯機器３００を充電する判定を行う。
【０１１２】
次に、判定回路５０４は、接続部５１０が接続部６１０との接続が検知されたか否かの判断をする（ステップＳ７４）。そして、判定回路５０４は、接続部５１０が接続部６１０との接続が検知された場合（ステップＳ７４：Ｙｅｓ）、携帯充電装置６００を充電する判定を行う。この場合、携帯機器３００および携帯充電装置６００を両方充電することになる。
【０１１３】
そして、充電回路５０５は、整流された電力を携帯機器用コイル１１１に供給し、携帯機器用コイル１１１を励磁する（ステップＳ７５）。そして、携帯機器用コイル１１１が携帯機器３００に非接触で電力を送電することで、携帯機器３００を充電する（ステップＳ７６）。また、充電回路５０５は、整流された電力を接続部５１０に供給し、接続部５１０から携帯充電装置６００に電力を供給することで携帯充電装置６００を充電する（ステップＳ７６）。
【０１１４】
一方、ステップＳ７４において、判定回路５０４は、接続部５１０が接続部６１０との接続が検知されていない場合（ステップＳ７４：Ｎｏ）、携帯充電装置６００を充電しない判定を行う。この場合、携帯機器３００を充電し、携帯充電装置６００を充電しないことになる。
【０１１５】
そして、充電回路５０５は、整流された電力を携帯機器用コイル１１１に供給し、携帯機器用コイル１１１を励磁する（ステップＳ７７）。そして、携帯機器用コイル１１１が携帯機器３００に非接触で電力を送電することで、携帯機器３００を充電する（ステップＳ７８）。
【０１１６】
このように、非接触型充電装置５００の本体装置５５０は、携帯機器３００と携帯充電装置６００の両者に充電を行うこともできるし、携帯機器３００と携帯充電装置６００のいずれかに充電を行うこともできる。
【０１１７】
次に、上述のように非接触型充電装置５００から充電された携帯充電装置６００による充電処理について説明する。図１１は、実施の形態３にかかる携帯充電装置による充電処理の流れを示すフローチャートである。この携帯充電装置６００による充電処理が行われるのは、本体装置５５０から離脱している場合である。例えば、本体装置５５０から切り離した携帯充電装置６００を所持（携帯）して外出し、その外出先においてＡＣ電源等の外部電源の供給を受けられない場合、この携帯充電装置６００によって携帯機器３００を充電する。
【０１１８】
まず、判定回路２０２は、ＰＯＷＥＲボタン２０１が押下されたか否かの判断をする（ステップＳ９０）。ＰＯＷＥＲボタン２０１が押下されていない場合（ステップＳ９０：Ｎｏ）、ステップＳ９０に戻って処理を繰り返す。ＰＯＷＥＲボタン２０１が押下された場合（ステップＳ９０：Ｙｅｓ）、携帯充電装置６００の電源がＯＮとなり（ステップＳ９１）、判定回路２０２は、本体装置５５０から充電される判定を行い、携帯充電装置６００を充電モードに設定する（ステップＳ９２）。
【０１１９】
そして、携帯充電装置６００は、本体装置５５０より充電される（ステップＳ９３）。すなわち、整流・充放電回路６０５は、接続部６１０を介して供給された電力を整流し、充電電力として二次電池２０４に蓄積する。
【０１２０】
次に、判定回路２０２は、再度、ＰＯＷＥＲボタン２０１が押下されたか否かの判断をする（ステップＳ９４）。ＰＯＷＥＲボタン２０１が押下されていない場合（ステップＳ９４：Ｎｏ）、充電モードの設定のままであり、ステップＳ９３に戻って処理を繰り返す。一方、ＰＯＷＥＲボタン２０１が押下された場合（ステップＳ９４：Ｙｅｓ）、判定回路２０２は、携帯機器３００に放電する判定を行い、携帯充電装置６００を放電モードに切替えて設定する（ステップＳ９５）。
【０１２１】
そして、整流・充放電回路６０５は、二次電池２０４に蓄積された電力を携帯機器用コイル６１１に供給し、携帯機器用コイル６１１を励磁する（ステップＳ９６）。そして、携帯機器用コイル６１１が携帯機器３００に非接触で電力を送電することで、携帯機器３００に放電する（ステップＳ９７）、すなわち携帯機器３００を充電する。
【０１２２】
このように、本体装置５５０から充電された携帯充電装置６００は、ＡＣ電源に接続されていなくても携帯機器３００に放電することができる。
【０１２３】
以上のように、実施の形態３では、非接触型充電装置５００において、本体装置５５０から携帯充電装置６００を充電する。そして、充電された携帯充電装置６００を本体装置５５０から着脱可能とし、携帯充電装置６００は、充電した電力により携帯機器３００を充電することで、携帯し易く、かつＡＣ電源等の外部電力が受けられない場所においても容易に携帯機器３００を充電できる。また、携帯充電装置６００は、本体装置５５０から充電される際に、接続端子などの接続部６１０を利用することで、本体装置５５０から直接電力を供給される。従って、本体装置５５０から大量の電力の供給が可能となるため、急速な携帯充電装置６００の充電ができ利便性が向上する。
【０１２４】
（実施の形態４）
実施の形態３の携帯充電装置は、放電モードに切替える設定がなされた場合、携帯機器に放電を行うものであったが、本実施の形態の携帯充電装置では、放電モードに切替える設定がなされた後、さらに本体装置との接続部が短絡されていない場合に放電を行うものである。
【０１２５】
ここで、本実施の形態の携帯充電装置を含む非接触型充電装置および携帯機器の構成は、実施の形態３と同様であるため、図８を参照して説明する。また、本体装置５５０および携帯機器３００の構成および機能は、実施の形態３と同様であるため説明を省略する。また、携帯充電装置６００においては、接続部６１０および判定回路２０２以外の構成および機能は、実施の形態３と同様であるため説明を省略し、以下では、接続部６１０および判定回路２０２について説明する。
【０１２６】
接続部６１０は、本体装置５５０と接続され、本体装置５５０から電力を供給されるものであり、例えば、圧着端子や電気端子、または接触センサ等である。この接続部６１０は、短絡状態とすることが可能な可動式となっている。例えば、圧着端子や電気端子等の場合、接続部の２つの端子を内側に折りたたみ可能もしくは埋込可能に構成して、接続部６１０を格納する場所を確保する。そして、接続部６１０を格納した際の蓋を金属で形成すると、接続部６１０に蓋をした際に、内側折りたたまれた、もしくは埋め込まれた接続部６１０の２つ端子を接触させて短絡させることができる。また、接触センサ等の場合、スライド式等に格納できる場所を確保し、接続部６１０を格納した際、格納場所内の任意の場所に接触すると回路が途切れ、接続部６１０を短絡させることができる。
【０１２７】
図１２は、携帯充電装置の接続部の説明図である。上述したように、接続部６１０が圧着端子や電気端子等の場合、図１２の左図に示すように、接続部６１０が携帯充電装置６００の壁面から突出している。そして、図１２の右図に示すように、突出した接続部６１０を折りたたんで金属の蓋６２０を装着することで、接続部６１０は短絡することになる。
【０１２８】
判定回路２０２は、ＰＯＷＥＲボタン２０１の押下および接続部６１０の状態に基づいて、本体装置５５０からの充電を受けるか、携帯機器３００を放電するか（充電するか）を判定するものである。具体的には、判定回路２０２は、ＰＯＷＥＲボタン２０１の押下により電源がＯＮになると、本体装置５５０から充電される判定を行い、携帯充電装置６００を充電モードに設定する。また、判定回路２０２は、次のＰＯＷＥＲボタン２０１の押下がなされ、さらに接続部６１０が短絡していない場合、携帯機器３００に放電する判定を行い、携帯充電装置６００を放電モードに設定する。ここで、短絡の有無は、具体的には、２つの端子の接触、非接触による通電／非通電によって判定する。なお、判定回路２０２は、充電モードおよび放電モードの設定を行うと不図示のメモリに書き込む。そして、このメモリ等を制御回路６０３等が参照することで、現在のモードを把握する。
【０１２９】
次に、このように構成された実施の形態４にかかる携帯充電装置６００による充電処理について説明する。なお、本体装置５５０による充電処理については、実施の形態３と同様であるため説明を省略する（図１０参照）。
【０１３０】
図１３は、実施の形態４にかかる携帯充電装置による充電処理の流れを示すフローチャートである。この携帯充電装置６００による充電処理が行われるのは、実施の形態３と同様、本体装置５５０から離脱している場合である。例えば、本体装置５５０から切り離した携帯充電装置６００を所持（携帯）して外出し、その外出先においてＡＣ電源等の外部電源の供給を受けられない場合、この携帯充電装置６００によって携帯機器３００を充電する。
【０１３１】
まず、判定回路２０２によるＰＯＷＥＲボタン２０１が押下されたか否かの判断から、本体装置５５０からの充電までの処理（ステップＳ１１０〜１１３）は、実施の形態３と同様であるため説明を省略する（図１１：ステップ９０〜９３参照）。
【０１３２】
次に、判定回路２０２は、再度、ＰＯＷＥＲボタン２０１が押下されたか否かの判断をする（ステップＳ１１４）。ＰＯＷＥＲボタン２０１が押下されていない場合（ステップＳ１１４：Ｎｏ）、充電モードの設定のままであり、ステップＳ１１３に戻って処理を繰り返す。一方、ＰＯＷＥＲボタン２０１が押下された場合（ステップＳ１１４：Ｙｅｓ）、判定回路２０２は、接続部６１０が短絡しているか否かの判断をする（ステップＳ１１５）。そして、接続部６１０が短絡している場合（ステップＳ１１５：Ｙｅｓ）、携帯機器３００に放電せず、そのまま処理を終了する。
【０１３３】
一方、接続部６１０が短絡していない場合（ステップＳ１１５：Ｎｏ）、判定回路２０２は、携帯機器３００に放電する判定を行い、携帯充電装置６００を放電モードに切替えて設定する（ステップＳ１１６）。
【０１３４】
そして、判定回路２０２は、放電モードの設定により、携帯機器３００に放電する判定を行い、整流・充放電回路６０５は、二次電池２０４に蓄積された電力を携帯機器用コイル６１１に供給し、携帯機器用コイル６１１を励磁する（ステップＳ１１７）。そして、携帯機器用コイル６１１が携帯機器３００に非接触で電力を送電することで、携帯機器３００に放電する（ステップＳ１１８）、すなわち携帯機器３００を充電する。
【０１３５】
このように、本体装置５５０から充電された携帯充電装置６００は、ＡＣ電源に接続されていなくても携帯機器３００に放電することができる。また、携帯充電装置６００は、接続部６１０が短絡状態にできるようになっており、接続部６１０が短絡していた場合は携帯機器３００に放電しない。これにより、携帯充電装置６００を外出時に携帯した場合に、端子（接続部６１０）が剥き出しにならず安全であり、かつ誤って放電が開始されることがなく利便性が向上する。
【０１３６】
ここで、接続部６１０が短絡状態にすることが不可能な場合と、可能である場合との携帯充電装置６００の放電について説明する。まず、携帯充電装置６００の接続部６１０を短絡状態にすることが不可能な場合について説明する。
【０１３７】
まず、携帯充電装置６００が本体装置５５０から充電される場合について説明する。図１４−１は、携帯充電装置が本体装置から充電される場合の説明図である。図１４−１では、非接触型充電装置５００内の充電位置に携帯充電装置６００が挿入されている状態を示しており、非接触型充電装置５００の全体図は省略されている。図１４−１に示すように、ＰＯＷＥＲボタン２０１が押下されることで電源がＯＮにされるとともに充電モードに設定され、かつ携帯充電装置６００の接続部６１０が本体装置５５０の接続部５１０に接続されている場合には、携帯充電装置６００は本体装置５５０から充電される。また、部材５９０は、接続部５１０が設けられた本体装置５５０の一部を示している。
【０１３８】
次に、携帯充電装置６００から携帯機器３００に放電する場合について説明する。図１４−２は、携帯充電装置から携帯機器に放電する場合の説明図である。図１４−２では、非接触型充電装置５００から携帯充電装置６００が離脱され、携帯充電装置６００上面の充電位置に携帯機器３００が配置されている状態を示している。図１４−２に示すように、携帯充電装置６００の接続部６１０が本体装置５５０の接続部５１０に接続されておらず、かつＰＯＷＥＲボタン２０１が押下されることで放電モードに設定された場合には、携帯充電装置６００は携帯機器３００に放電する、すなわち携帯機器３００を充電する。
【０１３９】
次に、携帯充電装置６００が充電もされず、放電もしない場合について説明する。図１４−３は、接続部の短絡が不可能な携帯充電装置の説明図である。図１４−３では、非接触型充電装置５００から携帯充電装置６００が離脱され、かつ携帯機器３００が充電位置に配置されていない状態を示している。接続部６１０の短絡が不可能な場合、接続部６１０の短絡状態のいかんによって放電を行うことはない。つまり、図１４−３に示すように、携帯充電装置６００の接続部６１０が本体装置５５０の接続部５１０に接続されておらず、かつＰＯＷＥＲボタン２０１が押下されることで放電モードに設定された場合には、携帯機器３００が充電位置に配置されていなくとも放電が行われることになる。従って、利用者が意図しない場合でも放電が開始されてしまう。
【０１４０】
次に、携帯充電装置６００の接続部６１０を短絡状態にすることが可能な場合について説明する。
【０１４１】
まず、携帯充電装置６００が本体装置５５０から充電される場合について説明する。接続部６１０が短絡可能な携帯充電装置６００であっても、本体装置５５０から充電される場合は、接続部６１０は短絡しておらず、本体装置５５０の接続部５１０に接続されている。従って、接続部６１０が短絡可能な携帯充電装置６００が本体装置５５０から充電される場合は、接続部６１０が短絡不可能な携帯充電装置６００と同様である（図１４−１参照）。
【０１４２】
次に、携帯充電装置６００から携帯機器３００に放電する場合について説明する。接続部６１０が短絡可能な携帯充電装置６００であっても、携帯機器３００に放電する場合は、接続部６１０は短絡しておらず、本体装置５５０の接続部５１０に接続されていない。従って、接続部６１０が短絡可能な携帯充電装置６００が携帯機器３００に放電する場合は、接続部６１０が短絡不可能な携帯充電装置６００と同様である（図１４−２参照）。
【０１４３】
次に、携帯充電装置６００が充電もされず、放電もしない場合について説明する。図１４−４は、接続部の短絡が可能な携帯充電装置の説明図である。図１４−４では、非接触型充電装置５００から携帯充電装置６００が離脱され、かつ携帯機器３００が充電位置に配置されていない状態を示している。接続部６１０の短絡が可能な場合は、接続部６１０の短絡状態によって放電を行うか否かを判定する。つまり、図１４−４に示すように、携帯充電装置６００の接続部６１０が本体装置５５０の接続部５１０に接続されておらず、かつＰＯＷＥＲボタン２０１が押下されることで放電モードに設定された場合でも、接続部６１０が短絡している場合は放電しない。従って、利用者が意図したときにのみ放電が開始されることになる。
【０１４４】
以上のように、実施の形態４では、非接触型充電装置５００において、本体装置５５０から携帯充電装置６００を充電する。そして、充電された携帯充電装置６００を本体装置５５０から着脱可能とし、携帯充電装置６００は、充電した電力により携帯機器３００を充電することで、携帯し易く、かつＡＣ電源等の外部電力が受けられない場所においても容易に携帯機器３００を充電できる。また、携帯充電装置６００は、短絡状態となる可動式の接続部６１０を利用することで、携帯する際に、端子などの接続部６１０が剥き出しにならず安全である。また、携帯充電装置６００は、接続部６１０の短絡の有無により携帯機器３００に放電するか否かの判定を行うため、一つの装置で充電および放電ができて、充電（放電）対象（携帯機器３００）がないまま放電が開始されるような余分な電力の放出がないため、製造コストを軽減すると共に安全性が向上する。
【０１４５】
（実施の形態５）
実施の形態３の携帯充電装置は、放電モードに切替える設定がなされた場合、携帯機器に放電を行うものであったが、本実施の形態の携帯充電装置では、放電モードに切替える設定がなされた後、さらに携帯機器が所定の充電位置に配置されていた場合に放電を行うものである。
【０１４６】
また、実施の形態４では、携帯充電装置６００の接続部６１０を利用者が格納するなど短絡状態にし、その短絡の有無によって携帯機器３００に放電するか否かの判定を行っていた。本実施の形態では、実施の形態４のような接続部６１０の短絡の有無による放電の判定の代わりに、携帯充電装置６００の充電位置に携帯機器３００が配置されたか否かにより放電の判定を行う。
【０１４７】
実施の形態３における図８のブロック図を参照すると、本実施の形態における携帯充電装置６００は、さらに、検知部を備えるものである。この検知部は、実施の形態２の携帯充電装置４００における検知部４０６と機能が同様である（図６：検知部４０６参照）。つまり、本実施の形態の携帯充電装置６００の検知部は、携帯機器３００が携帯充電装置６００における所定の充電位置に配置された場合、その携帯機器３００の存在を検知するものであり、例えば、光センサ、圧力センサ、または接触センサ等を利用している。
【０１４８】
次に、実施の形態５にかかる携帯充電装置による充電処理の流れについて、図１３を参照して説明する。本実施の形態の携帯充電装置６００は、接続部６１０の短絡の有無による放電の判定の代わりに、携帯充電装置６００の充電位置に携帯機器３００が配置されたか否かにより放電の判定を行う。
【０１４９】
従って、図１３におけるステップ１１５の処理において、判定回路２０２が、上述した検知部により所定の充電位置に配置された携帯機器３００が検知されたか否かの判断を行う。そして、そして、携帯機器３００が検知部により検知されていない場合（ステップＳ１１５：Ｙｅｓ参照）、携帯機器３００に放電せず、そのまま処理を終了する。
【０１５０】
一方、携帯機器３００が検知部により検知された場合（ステップＳ１１５：Ｎｏ参照）、放電モードに切替え設定がされ、携帯機器３００に放電することになる（ステップＳ１１６〜１１８参照）。
【０１５１】
以上のように、実施の形態５では、非接触型充電装置５００において、本体装置５５０から携帯充電装置６００を充電する。そして、充電された携帯充電装置６００を本体装置５５０から着脱可能とし、携帯充電装置６００は、充電した電力により携帯機器３００を充電することで、携帯し易く、かつＡＣ電源等の外部電力が受けられない場所においても容易に携帯機器３００を充電できる。また、携帯充電装置６００は、携帯機器３００の充電位置の有無により携帯機器３００に放電するか否かの判定を行うため、利用者が接続部６１０を短絡状態にする手間を省けるとともに、接続部６１０の短絡の有無と放電の関係を誤って認識したり、短絡状態への切替えの失念により、意図しない放電の開始や必要な放電がされないなどの誤りを防止し、意図した放電が確実にでき利便性が向上する。
【図面の簡単な説明】
【０１５２】
【図１】実施の形態１にかかる携帯充電装置を含む非接触型充電装置および携帯機器の構成を示すブロック図である。
【図２】携帯充電装置の充電時と放電時における充放電コイルの説明図である。
【図３−１】携帯充電装置が非接触型充電装置に装着される場合の説明図である。
【図３−２】非接触型充電装置の本体装置により携帯充電装置および携帯機器が充電されている場合の説明図である。
【図３−３】携帯充電装置により携帯機器が充電されている場合の説明図である。
【図４】実施の形態１にかかる非接触型充電装置の本体装置による充電処理の流れを示すフローチャートである。
【図５】実施の形態１にかかる携帯充電装置による充電処理の流れを示すフローチャートである。
【図６】実施の形態２にかかる携帯充電装置を含む非接触型充電装置および携帯機器の構成を示すブロック図である。
【図７】実施の形態２にかかる携帯充電装置による充電処理の流れを示すフローチャートである。
【図８】実施の形態３にかかる携帯充電装置を含む非接触型充電装置および携帯機器の構成を示すブロック図である。
【図９−１】携帯充電装置が非接触型充電装置に装着される場合の説明図である。
【図９−２】非接触型充電装置の本体装置により携帯充電装置および携帯機器が充電されている場合の説明図である。
【図１０】実施の形態３にかかる非接触型充電装置の本体装置による充電処理の流れを示すフローチャートである。
【図１１】実施の形態３にかかる携帯充電装置による充電処理の流れを示すフローチャートである。
【図１２】携帯充電装置の接続部の説明図である。
【図１３】実施の形態４にかかる携帯充電装置による充電処理の流れを示すフローチャートである。
【図１４−１】携帯充電装置が本体装置から充電される場合の説明図である。
【図１４−２】携帯充電装置から携帯機器に放電する場合の説明図である。
【図１４−３】接続部の短絡が不可能な携帯充電装置の説明図である。
【図１４−４】接続部の短絡が可能な携帯充電装置の説明図である。
【図１５】従来の充電装置および携帯機器を示す図である。
【符号の説明】
【０１５３】
１００、１９０、５００  非接触型充電装置
１５０、５５０  本体装置
１０１、５０１  検知部
１０２  整流回路
１０３、５０３  制御回路
１０４、５０４  判定回路
１０５、５０５  充電回路
１１０  携帯充電装置用コイル
１１１  携帯機器用コイル
５１０  接続部
５９０  部材
２００、４００、６００  携帯充電装置
２０１  ＰＯＷＥＲボタン
２０２、４０２  判定回路
２０３、６０３  制御回路
２０４  二次電池
２０５、６０５  整流・充放電回路
２１０  充放電コイル
４０６  検知部
６１０  接続部
６１１  携帯機器用コイル
６２０  蓋
３００  携帯機器
３０１  二次電池
３０２  充電回路
３０３  制御回路
３０４  整流回路
３１０  充電コイル
９００  ＡＣ電源
【図１】
2009033807.tif 000003
【図２】
2009033807.tif 000004
【図３−１】
2009033807.tif 000005
【図３−２】
2009033807.tif 000006
【図３−３】
2009033807.tif 000007
【図４】
2009033807.tif 000008
【図５】
2009033807.tif 000009
【図６】
2009033807.tif 000010
【図７】
2009033807.tif 000011
【図８】
2009033807.tif 000012
【図９−１】
2009033807.tif 000013
【図９−２】
2009033807.tif 000014
【図１０】
2009033807.tif 000015
【図１１】
2009033807.tif 000016
【図１２】
2009033807.tif 000017
【図１３】
2009033807.tif 000018
【図１４−１】
2009033807.tif 000019
【図１４−２】
2009033807.tif 000020
【図１４−３】
2009033807.tif 000021
【図１４−４】
2009033807.tif 000022
【図１５】
2009033807.tif 000023